(57)【要約】【課題】真空ポンプを用いることなく、試料を確実に採取することができるバイオセンサカートリッジを提供する。【解決手段】バイオセンサカートリッジ本体１１の先端１１ａから突出して設けられている突起１３を、穿刺位置の皮膚Ｓに押し付けて盛り上がらせ、盛り上がってうっ血した部分を穿刺用器具１２で穿刺する。このため、真空ポンプ等を用いることなく、穿刺口から血液Ｒを出やすくして確実に採取することができる。また、穿刺位置の近傍を突起１３で押さえつけることにより、穿刺時の痛みを紛らわせて、使用者の負担を軽減することができる。【選択図】図１
2008036299.tif 000002
【特許請求の範囲】
【請求項１】
バイオセンサチップと、前記バイオセンサチップの先端に設けられた穿刺用器具とを有するバイオセンサカートリッジであって、
皮膚の表面を盛り上げるための突起が、前記バイオセンサチップの先端に設けられていることを特徴とするバイオセンサカートリッジ。
【請求項２】
前記突起は一対の突起であり、該一対の突起が前記バイオセンサチップの先端から前記穿刺用器具を挟んで対向して設けられ、その先端が互いに近づく方向へ屈曲していることを特徴とする請求項１に記載のバイオセンサカートリッジ。
【請求項３】
前記突起は、前記バイオセンサチップの先端から前記穿刺用器具の片側に沿って設けられ、その先端が前記穿刺用器具に近づく方向へ屈曲していることを特徴とする請求項１に記載のバイオセンサカートリッジ。
【請求項４】
前記突起は、弾性部材により形成されていることを特徴とする請求項２又は３に記載のバイオセンサカートリッジ。
【請求項５】
前記突起は一対の突起であり、該一対の突起が前記バイオセンサチップの先端から前記穿刺用器具を挟んで対向して設けられ、略直線の棒状であることを特徴とする請求項１に記載のバイオセンサカートリッジ。
【請求項６】
前記突起は、剛部材により形成されていることを特徴とする請求項５に記載のバイオセンサカートリッジ。
【発明の詳細な説明】
【技術分野】
【０００１】
本発明はバイオセンサカートリッジに係り、例えばバイオセンサチップの中空反応部に収容した試薬を用いて化学物質の測定や分析を行うバイオセンサカートリッジに関するものである。
【背景技術】
【０００２】
従来より、指や腕等の皮膚を穿刺して、少量の血液等を採取し、採取した血液等を用いて血液等中の種々の成分を測定することが行われている。近年、糖尿病患者の増加に伴い、日常の血糖値の変動を患者自身がモニターすることが推奨されている。この際、患者は自分の指先等の皮膚を穿刺して血液を採取する必要があるため、穿刺傷を小さくして血液の採取量を少なくすることにより痛みを減少させることが要求されている（例えば特許文献１、２参照）。
【０００３】
図９に示すように、特許文献１に記載の体液検査装置１００では、ケース１０１内に指先を挿入可能な開口部１０２と、開口部１０２に挿入された指先を穿刺する穿刺用器具を一時的に突出させる穿刺用器具駆動機構１０３と、穿刺用器具駆動機構１０３内部を吸引する吸引機構１０４と、この吸引機構１０４を駆動する電動ポンプ１０５とを有している。
従って、指先を開口部１０２に挿入し、穿刺ボタン１０６を押して穿刺用器具駆動機構１０３を駆動させて指先を穿刺し、穿刺用器具駆動機構１０３の駆動開始に対応して電動ポンプ１０５を作動させて指先の穿刺口から血液を吸引・採取するようになっている。
【０００４】
また、図１０に示すように、特許文献２に記載の血液抜き取りデバイス１１０は、ハウジング１１１を有し、ハウジング１１１の内部には真空ポンプ１１２、切開アセンブリ１１３、バッテリ１１４および電子機器１１５が配置されている。真空ポンプ１１２は排気管１１７によって切開アセンブリ１１３に接続されており、真空ポンプ１１２により切開アセンブリ１１３から排気された空気は、排気管１１７を介して除去されるようになっている。また、電子機器１１５を稼動させるためのスイッチ１１６が設けられている。切開アセンブリ１１３では前方にノーズピース１１８が設けられており、ノーズピース１１８には採取した血液を収納するチャンバ１１９が設けられている。
従って、ノーズピース１１８の先端１１８ａを皮膚表面に当接させ、真空ポンプ１１２により皮膚の表面を一旦吸引して持ち上げてうっ血させ、その後に切開アセンブリ１１３により皮膚の表面に傷を付ける。その後、さらに真空ポンプ１１２によりチャンバ１１９内部を減圧して、穿刺口の血液をチャンバ１１９内部に吸引して採取する。
【特許文献１】特開２００１−１７００３１号公報
【特許文献２】特開２００４−２０９２６６号公報
【発明の開示】
【発明が解決しようとする課題】
【０００５】
ところで、特許文献１に記載の体液検査装置１００および特許文献２に記載の血液抜き取りデバイス１１０では、共に真空ポンプ１０５、１１２および電源となるバッテリ等を搭載しているので、重量が重く操作性が悪いという不都合があった。
【０００６】
本発明は、前述した問題点に鑑みてなされたものであり、その目的は、真空ポンプを用いることなく、小さな穿刺口から試料を確実に採取することができるバイオセンサカートリッジを提供することにある。
【課題を解決するための手段】
【０００７】
前述した目的を達成するために、本発明にかかる第１の特徴であるバイオセンサカートリッジは、バイオセンサチップと、前記バイオセンサチップの先端に設けられた穿刺用器具とを有するバイオセンサカートリッジであって、皮膚の表面を盛り上げるための突起が、前記バイオセンサチップの先端に設けられていることを特徴とする。
【０００８】
このように構成されたバイオセンサカートリッジにおいては、チップ本体の先端に設けられている突起を、穿刺位置の皮膚に押し付けて盛り上がらせ、盛り上がってうっ血した部分を穿刺用器具で穿刺する。このため、真空ポンプ等を用いることなく、小さな穿刺口からでも血液を出やすくして確実に採取することができる。また、穿刺口を小さくするとともに、穿刺位置の近傍を突起で押さえつけることにより、穿刺時の痛みを紛らわせて、使用者の負担を軽減することができる。
【０００９】
また、本発明にかかる第２の特徴であるバイオセンサカートリッジは、上記本発明の第１の特徴において、前記突起は一対の突起であり、該一対の突起が前記バイオセンサチップの先端から前記穿刺用器具を挟んで対向して設けられ、その先端が互いに近づく方向へ屈曲していることを特徴とする。  
【００１０】
このように構成されたバイオセンサカートリッジにおいては、対向して設けられている突起を皮膚の表面に押し付けると、弾性部材からなる突起が互いに接近する方向へ撓んで皮膚の表面をつまむので、皮膚の表面を盛り上げてうっ血させる。そして、さらにバイオセンサチップを押し付けると、対向する突起の間にある穿刺用器具が皮膚の表面を穿刺するので、微小な穿刺口でも容易に血液を採取することができる。また、穿刺位置の両側をつまんでいるので、穿刺時の痛みを分散して、使用者の負担を軽減することができる。
【００１１】
また、本発明にかかる第３の特徴であるバイオセンサカートリッジは、上記本発明の第１の特徴において突起が、バイオセンサチップの先端から前記穿刺用器具の片側に沿って設けられ、その先端が前記穿刺用器具に近づく方向へ屈曲していることを特徴とする。
【００１２】
このように構成されたバイオセンサカートリッジにおいては、穿刺用器具に沿って設けられている突起を皮膚の表面に押し付けると、突起が撓んで皮膚の表面を盛り上げてうっ血させる。そして、さらにバイオセンサチップを押し付けると、穿刺用器具がうっ血した皮膚の表面を穿刺するので、微小な穿刺口でも容易に血液を採取することができる。また、穿刺位置の近傍を押さえつけているので、穿刺時の痛みを分散して、使用者の負担を軽減することができる。
【００１３】
また、本発明にかかる第４の特徴であるバイオセンサカートリッジは、上記本発明の第２又は３の特徴において、弾性部材により形成されていることを特徴とする。
このように構成されたバイオセンサカートリッジにおいては、上記本発明の第２又は３の構成において、突起が弾性部材で形成されているので、撓みやすく、上記の皮膚の表面を盛り上げてうっ血させる効果がより高いものとなる。  
【００１４】
また、本発明にかかる第５の特徴であるバイオセンサカートリッジは、上記本発明の第１の特徴において、前記突起は一対の突起であり、該一対の突起が前記バイオセンサチップの先端から前記穿刺用器具を挟んで対向して設けられ、略直線の棒状であることを特徴とする。
【００１５】
このように構成されたバイオセンサカートリッジにおいては、対向して設けられている突起を皮膚の表面に押し付けると、突起が皮膚の表面を押えるので、突起間の皮膚の表面を盛り上げてうっ血させる。そして、さらにバイオセンサチップを押し付けると、対向する突起の間にある穿刺用器具が皮膚の表面を穿刺するので、微小な穿刺口でも容易に血液を採取することができる。また、突起が穿刺位置の両側を押さえつけるので、痛さが分散して、使用者の負担を軽減することができる。
【００１６】
また、本発明にかかる第６の特徴であるバイオセンサカートリッジは、上記本発明の第５の特徴において、前記突起は、剛部材により形成されていることを特徴とする。
このように構成されたバイオセンサカートリッジにおいては、上記の突起が皮膚の表面を押える際に、突起が剛部材であるので、より強く皮膚の表面を押すことができるので、上記の皮膚の表面を盛り上げてうっ血させる効果がより高いものとなる。
【発明の効果】
【００１７】
本発明によれば、バイオセンサチップ本体に設けられている突起を、穿刺位置の皮膚に押し付けて盛り上がらせ、盛り上がってうっ血した部分を穿刺用器具で穿刺するので、真空ポンプ等を用いることなく簡易な構造によって、小さな穿刺口からでも血液を出やすくして、確実に採取することができる。また、穿刺位置の近傍を突起で押さえつけることにより、穿刺時の痛みを紛らわせて、使用者の負担を軽減することができるという効果が得られる。
【発明を実施するための最良の形態】
【００１８】
以下、本発明に係る実施形態を図面に基づいて詳細に説明する。
図１は本発明のバイオセンサカートリッジに係る第１実施形態を示す斜視図、図２（Ａ）は図２（Ｂ）のＡ−Ａ位置の断面図、図２（Ｂ）は図２（Ａ）のＢ−Ｂ位置の断面図、図３（Ａ）〜（Ｄ）は穿刺・採血の動作を示す工程図、図４はバイオセンサカートリッジを取り付けて分析・測定を行う測定器の構成図である。
【００１９】
図１に示すように、本発明の第１実施形態であるバイオセンサカートリッジ１０Ａは、バイオセンサチップ本体１１と、このバイオセンサチップ本体１１の先端１１ａに固定され先端１２ａが突出した穿刺用の穿刺用器具１２とを有している。
さらに、皮膚Ｍの表面を盛り上げるための一対の突起１３Ａが、バイオセンサチップ本体１１の先端１１ａから突出するように設けられている。そして、この一対の突起１３Ａの長さは、バイオセンサチップ本体１１の先端１１ａから突起１３Ａの先端までの長さが、先端１１ａから穿刺用器具１２の先端１２ａまでの長さよりも長くなるように設定されている。本発明において、穿刺用器具とは、針、ランセット針、カニューレ等をいう。
【００２０】
また、この一対の突起１３Ａは弾性部材により形成され、両基板１４ａ、１４ｂに挟まれたスペーサ層１５の位置に穿刺用器具１２を挟んで対向するように設けられており、先端が互いに近づく方向へ屈曲して設けられている。従って、両突起１３Ａを皮膚Ｓに押し付けると、両突起１３Ａの先端はさらに近づく方向へ変形する。このため、皮膚Ｓは両突起１３Ａの先端でつままれることになり、うっ血する。
【００２１】
弾性部材の素材としては、シリコーン、ウレタン、アクリルゴム等のゴム、エチレン、スチレン等のポリマー単体若しくは共重合したポリマーからなるゴム若しくはスポンジ、ポリエチレン及びポリプロピレン等のポリオレフィン、ポリエチレンテレフタレート及びポリブチレンテレフタレート等のポリエステル、ポリテトラフルオロエチレン及びパーフルオロアルコキシエチレンとポリフルオロエチレンの共重合体であるＰＦＡ等のフッ素樹脂、スプリングバネ等のバネ材が好適に使用できる。
【００２２】
図２（Ａ）および（Ｂ）に示すように、バイオセンサチップ本体１１は、互いに対向する２枚の基板１４ａ、１４ｂと、この２枚の基板１４ａ、１４ｂ間に挟装されるスペーサ層１５を有している。２枚の基板１４ａ、１４ｂの少なくとも１枚の基板１４ａのスペーサ層１５側の表面には、検知用電極１６ａ、１６ｂが設けられており、先端（図２（Ａ）において下端部）は互いに対向する方向へＬ字状に曲げられて、所定間隔を保持している。バイオセンサチップ本体１１の先端１１ａから、２つの検知用電極１６ａ、１６ｂが対向している部分にかけて、２枚の基板１４ａ、１４ｂ及びスペーサ層１５により中空反応部１７が形成されている。この中空反応部１７の先端には、皮膚Ｓ（図３参照）に穿刺用器具１２を穿刺して採取した試料としての血液Ｒ（図３（Ｄ）参照）を中空反応部１７に導入する試料採取口１８が設けられている。
【００２３】
すなわち、中空反応部１７は、上下両面を基板１４ａ、１４ｂおよび検知用電極１６ａ、１６ｂにより形成され、所定の形状に切りかかれたスペーサ層１５を側壁として矩形状の空間が形成されている。このため、中空反応部１７においては、検知用電極１６ａ、１６ｂは露出しており、中空反応部１７における検知用電極１６ａ、１６ｂの直上或いは近傍に、例えば酵素とメディエータを固定化し血液Ｒ中のグルコースと反応して電流を発生する試薬１９が設けられている。従って、中空反応部１７は、試料採取口１８から採取入された血液Ｒが、試薬１９と生化学反応する部分となる。
【００２４】
次に、図３（Ａ）〜（Ｄ）を参照して、このバイオセンサカートリッジ１０Ａを用いて血液Ｒを採取する場合を例として説明する。
まず、図３（Ａ）に示すように、バイオセンサカートリッジ１０Ａの突起１３Ａの先端を皮膚Ｓに接触させる。そして、図３（Ｂ）に示すように、バイオセンサチップ１１を皮膚Ｓに押し付けると、弾性体からなる１対の突起１３Ａは互いに近づく方向へ変形して、皮膚Ｓをつまむ。これにより、つままれた皮膚Ｓはうっ血する。さらに、図３（Ｃ）に示すように、バイオセンサカートリッジ１０Ａを皮膚Ｓに押し付けると、突起１３Ａに埋没していた穿刺用器具１２が突出して皮膚Ｓを穿刺する。このとき、穿刺された皮膚Ｓはうっ血しているので穿刺されることにより容易に血液Ｒが流出し、図３（Ｄ）に示すように、試料採取口１８から中空反応部１７へ導入されることになる。最後に、所定量の血液Ｒを採取したら、皮膚Ｓからバイオセンサカートリッジ１０Ａを離し、図４に示すように、測定器３１にセットして、分析・測定を行う。
【００２５】
図４に示すように、測定器３１は、前述したバイオセンサカートリッジ１０Ａの検知用電極１６ａ、１６ｂを接続して採取された血液Ｒの情報を得るものであり、電源３２、制御装置３３、端子挿入部３４、表示部３５を備え、これらが互いに接続されている。端子挿入部３４にはバイオセンサカートリッジ１０Ａのバイオセンサチップ本体１１の後端部１１ｂが挿入されて固定されるとともに、バイオセンサチップ本体１１の後端部１１ｂに露出している検知用電極１６ａ、１６ｂが電気的に接続されるようになっている。
【００２６】
すなわち、中空反応部１７に導入された血液Ｒは試薬１９と反応し、検知用電極１６ａ、１６ｂにより計測された電流値或いは電荷値（電荷量）のデータが制御装置３３に送られる。制御装置３３内には検量線データテーブルが格納されており、測定した電流値（電荷値）を基に血糖値の計算が実行される。計算が終了すると、測定結果が表示部３５に表示され、例えば、血糖値を数値としてあらわすことができる。
【００２７】
なお、この測定器３１は、小型であり、例えば、使用者が片手で持つことが可能なハンディタイプであるので、図４に示すように、バイオセンサカートリッジ１０Ａを測定器３１に取り付けた状態で、図３（Ａ）〜（Ｄ）において前述した血液Ｒの採取を行うようにしてもよい。この場合には、血液Ｒの採取および分析・測定等を連続して行うことができるので、時間の短縮を図って、使用者の負担を軽減することができる。
【００２８】
以上、前述したバイオセンサカートリッジ１０Ａによれば、バイオセンサチップ本体１１の先端１１ａから突出して設けられている一対の突起１３Ａを穿刺位置の皮膚Ｓに押し付けると、両突起１３Ａが近づく方向に変形して皮膚Ｓを盛り上がらせてうっ血させる。このうっ血した部分を穿刺用器具１２で穿刺するため、小さな穿刺口であっても、従来のように真空ポンプ等を用いることなく、穿刺口から血液Ｒを容易に流出させて確実に採取することができる。また、穿刺位置の近傍を突起１３Ａで押さえつけることにより、穿刺時の痛みを紛らわせて、使用者の負担を軽減することができる。
【００２９】
次に、本発明の第２実施形態に係るバイオセンサカートリッジについて説明する。
図５は本発明のバイオセンサカートリッジに係る第２実施形態を示す斜視図、図６（Ａ）〜（Ｃ）は穿刺・採血の動作を示す工程図である。なお、前述した第１実施形態に係るバイオセンサカートリッジ１０Ａと共通する部位には同じ符号を付して、重複する説明を省略することとする。
【００３０】
このバイオセンサカートリッジ１０Ｂでは、剛部材により形成された一対の突起１３Ｂが、バイオセンサチップ本体１１の先端１１ａから穿刺用器具１２を挟んで対向して設けられている。両突起１３Ｂは、両基板１４ａ、１４ｂに挟まれたスペーサ層１５の位置に、略直線の棒状で設けられており、長さは略穿刺用器具１２の長さと略同じであるが、少なくとも若干長めになっている。従って、両突起１３Ｂを皮膚Ｓの表面に押し付けると、両突起１３Ｂ間の皮膚Ｓは盛り上がってうっ血することになる。
【００３１】
剛部材としては、剛性の強い樹脂、例えばポリカーボネート、ポリスチレン等を好適に用いることができる。
【００３２】
次に、図６（Ａ）〜（Ｃ）を参照して、このバイオセンサカートリッジ１０Ｂを用いて血液Ｒを採取する場合を例として説明する。
まず、図６（Ａ）に示すように、バイオセンサカートリッジ１０Ｂの突起１３Ｂの先端を皮膚Ｓに押し付けると、剛部材である１対の突起１３Ｂ、１３Ｂの間の皮膚Ｓの表面が盛り上がる。そして、図６（Ｂ）に示すように、さらにバイオセンサチップ１１を皮膚Ｓに押し付けると、突起１３Ｂの間の皮膚Ｓの表面がさらに盛り上がってうっ血するとともに、穿刺用器具１２によって穿刺されることになる。このとき、穿刺された皮膚Ｓはうっ血しているので、穿刺されることにより小さな穿刺口でも容易に血液Ｒが流出し、図６（Ｃ）に示すように、試料採取口１８から中空反応部１７へ導入されることになる。所定量の血液Ｒを採取したら、皮膚Ｓからバイオセンサカートリッジ１０Ｂを離し、図４に示すように、測定器３１にセットして、分析・測定を行う。
【００３３】
なお、この測定器３１は、小型であり、例えば、被検体が片手で持つことが可能なハンディタイプであるので、図４に示すように、バイオセンサカートリッジ１０Ｂを測定器３１に取り付けた状態で、前述した血液Ｒの採取を行うようにしてもよい。この場合には、血液Ｒの採取および分析・測定等を連続して行うことができるので、時間の短縮を図って、使用者の負担を軽減することができる。
【００３４】
以上、前述したバイオセンサカートリッジ１０Ｂによれば、バイオセンサチップ本体１１の先端１１ａから突出して設けられている一対の突起１３Ｂを、穿刺位置の皮膚Ｓに押し付けて盛り上がらせ、盛り上がってうっ血した部分を穿刺用器具１２で穿刺する。このため、穿刺口が小さい場合でも、従来のように真空ポンプ等を用いることなく、穿刺口から血液Ｒを容易に流出させて確実に採取することができる。また、穿刺位置の近傍を突起１３Ｂで押さえつけることにより、穿刺時の痛みを紛らわせて、使用者の負担を軽減することができる
【００３５】
次に、本発明の第３実施形態に係るバイオセンサカートリッジについて説明する。
図７は本発明のバイオセンサカートリッジに係る第３実施形態を示す斜視図、図８（Ａ）〜（Ｄ）は穿刺・採血の動作を示す工程図である。なお、前述した第１実施形態に係るバイオセンサカートリッジ１０Ａあるいは第２実施形態にかかるバイオセンサカートリッジ１０Ｂと共通する部位には同じ符号を付して、重複する説明を省略することとする。
【００３６】
このバイオセンサカートリッジ１０Ｃでは、弾性部材により形成された１本の突起１３Ｃが、バイオセンサチップ本体１１の先端１１ａから穿刺用器具１２の片側に沿って設けられている。突起１３Ｃは、両基板１４ａ、１４ｂに挟まれたスペーサ層１５の位置に、先端が穿刺用器具１２に近づく方向に屈曲して設けられており、突起１３Ｃを皮膚Ｓに押し付けると、突起１３Ｃの先端はさらに穿刺用器具１２に近づく方向へ変形する。このため、皮膚Ｓは突起１３Ｃの先端によって押し上げられて、うっ血することになる。
【００３７】
弾性部材の素材としては、本発明の第一実施形態と同様のものが使用できる。
【００３８】
次に、図８（Ａ）〜（Ｄ）を参照して、このバイオセンサカートリッジ１０Ｃを用いて血液Ｒを採取する場合を例として説明する。
まず、図８（Ａ）に示すように、バイオセンサカートリッジ１０Ｃの突起１３Ｃの先端を所望の穿刺位置の皮膚Ｓに接触させる。そして、図８（Ｂ）に示すように、バイオセンサカートリッジ１０Ｃをさらに皮膚Ｓに押し付けると、弾性部材である突起１３Ｃが穿刺用器具１２の方向に変形して、皮膚Ｓの表面を盛り上げてうっ血させる。図８（Ｃ）に示すように、さらにバイオセンサカートリッジ１０Ｃを皮膚Ｓに押し付けると、穿刺用器具１２が突起１３Ｃの先端から突出して皮膚Ｓを穿刺する。このとき、穿刺された皮膚Ｓはうっ血しているので穿刺されることにより容易に血液Ｒが流出し、図８（Ｄ）に示すように、試料採取口１８から中空反応部１７へ導入されることになる。所定量の血液Ｒを採取したら、皮膚Ｓからバイオセンサチップ１０Ｃを離し、図４に示すように、測定器３１にセットして、分析・測定を行う。
【００３９】
なお、この測定器３１は、小型であり、例えば、被検体が片手で持つことが可能なハンディタイプであるので、図４に示すように、バイオセンサカートリッジ１０Ｃを測定器３１に取り付けた状態で、図８（Ａ）〜（Ｄ）において前述した血液Ｒの採取を行うようにしてもよい。この場合には、血液Ｒの採取および分析・測定等を連続して行うことができるので、時間の短縮を図って、使用者の負担を軽減することができる。
【００４０】
以上、前述したバイオセンサカートリッジ１０Ｃによれば、バイオセンサチップ本体１１の先端１１ａから突出して設けられている１本の弾性部材からなる突起１３Ｃを、所望の穿刺位置の皮膚Ｓに押し付けて盛り上がらせ、盛り上がってうっ血した部分を穿刺用器具１２で穿刺する。このため、穿刺口が小さい場合でも、従来のように真空ポンプ等を用いることなく、穿刺口から血液Ｒを容易に流出させて確実に採取することができる。また、穿刺位置の近傍を突起１３Ｃで押さえつけることにより、穿刺時の痛みを紛らわせて、使用者の負担を軽減することができる
【００４１】
なお、本発明のバイオセンサカートリッジは、前述した各実施形態に限定されるものでなく、適宜な変形，改良等が可能である。
例えば、前述した各実施形態においては、突起１３Ａ、１３Ｂ、１３Ｃをスペーサ層１５に設けた場合に付いて例示したが、両基板１４ａ、１４ｂあるいは一方の基板１４ａ、１４ｂに設けることもできる。また、スペーサ層１５とは別の突起１３Ａ、１３Ｂ、１３Ｃを有する部材を両基板１４ａ、１４ｂで挟むように設けることもできる。
また、突起１３Ａ、１３Ｂ、１３Ｃによって皮膚Ｓをうっ血させた後、穿刺する際に、指で穿刺位置をつまんで穿刺すると、一層効果的である。
【産業上の利用可能性】
【００４２】
以上のように、本発明に係るバイオセンサカートリッジは、バイオセンサチップ本体の先端に設けられている突起を、穿刺位置の皮膚に押し付けて盛り上がらせ、盛り上がってうっ血した部分を穿刺用器具で穿刺するので、真空ポンプ等を用いることなく簡易な構造によって、穿刺口から血液を出やすくして確実に採取することができる。また、穿刺位置の近傍を突起で押さえつけることにより、穿刺時の痛みを紛らわせて、使用者の負担を軽減することができるという効果を有し、例えばバイオセンサチップの中空反応部に収容した試薬を用いて化学物質の測定や分析を行うバイオセンサカートリッジ等として有用である。
【図面の簡単な説明】
【００４３】
【図１】本発明のバイオセンサカートリッジに係る第１実施形態を示す斜視図である。
【図２】（Ａ）は図２（Ｂ）のＡ−Ａ位置の断面図である。（Ｂ）は図２（Ａ）のＢ−Ｂ位置の断面図である。
【図３】（Ａ）〜（Ｄ）は穿刺・採血の動作を示す工程図である。
【図４】バイオセンサカートリッジを取り付けて分析・測定を行うバイオセンサシステムの構成図である。
【図５】図５は本発明のバイオセンサカートリッジに係る第２実施形態を示す斜視図である。
【図６】（Ａ）〜（Ｃ）は穿刺・採血の動作を示す工程図である。
【図７】本発明のバイオセンサカートリッジに係る第３実施形態を示す斜視図である。
【図８】（Ａ）〜（Ｄ）は穿刺・採血の動作を示す工程図である。
【図９】従来のバイオセンサチップを示す分解斜視図である。
【図１０】（Ａ）は従来のバイオセンサチップを示す斜視図である。（Ｂ）は従来のバイオセンサチップを示す分解斜視図である。
【符号の説明】
【００４４】
１０Ａ、１０Ｂ、１０Ｃ  バイオセンサカートリッジ
１１  チップ本体
１１ａ  先端
１２  穿刺用器具
１２ａ  先端
１３Ａ、１３Ｂ、１３Ｃ  突起
Ｓ  皮膚
【図１】
2008036299.tif 000003
【図２】
2008036299.tif 000004
【図３】
2008036299.tif 000005
【図４】
2008036299.tif 000006
【図５】
2008036299.tif 000007
【図６】
2008036299.tif 000008
【図７】
2008036299.tif 000009
【図８】
2008036299.tif 000010
【図９】
2008036299.tif 000011
【図１０】
2008036299.tif 000012